(57)【要約】【課題】シーク動作の高速化を図ることができる放送受信装置を提供する。【解決手段】信号検出回路６ａが放送受信信号の強度が所定のレベル以上であるか否かを判定し、その判定結果に応じてＳＤ端子６ｂ及び７ａのレベルが切り替わる。可変増幅器４は、ＳＤ端子６ｂ及び７ａのレベルを入力し、放送受信信号の強度が所定のレベル未満から所定のレベル以上になると、増幅度を増大させる。これにより、ＳＤ端子６ｂ及び７ａのレベル変動の繰り返し（チャタリング）の発生を抑えることができる。したがって、チャタリングがおさまる迄の待ち時間を削減又は低減することができ、シーク動作の高速化を図ることができる。【選択図】      図１
2004350029.tif 000002
【特許請求の範囲】
【請求項１】
放送受信信号に基づく信号を増幅する可変利得増幅手段と、
前記可変利得増幅手段からの出力信号に基づいて前記放送受信信号の強度が所定のレベル以上であるか否かを判定する判定手段と、
前記判定手段の判定結果に応じて前記可変利得増幅手段の増幅度を制御する制御手段と、
を備えることを特徴とする放送受信装置。
【請求項２】
前記放送受信信号の強度が前記所定のレベル未満から前記所定のレベル以上になると、前記制御手段が前記可変利得増幅手段の増幅度を増大させる請求項１に記載の放送受信装置。
【請求項３】
前記放送受信信号の強度が前記所定のレベル以上から前記所定のレベル未満になってその後一定期間前記所定のレベル未満のままであると、前記制御手段が前記可変利得増幅手段の増幅度を減少させ、
前記放送受信信号の強度が前記所定のレベル以上から前記所定のレベル未満になってその後前記一定期間経過するまでに前記所定のレベル以上に戻ると、前記制御手段が前記可変利得増幅手段の増幅度を減少させない請求項２に記載の放送受信装置。
【請求項４】
前記可変利得増幅手段が、第１ゲートに入力される放送受信信号に基づく信号を増幅してドレインから出力するデュアルゲート電界効果トランジスタを備え、
前記制御手段が、前記デュアルゲート電界効果トランジスタの第２ゲートに印加する直流バイアス電圧を可変することで前記可変利得増幅手段の増幅度を制御する請求項１〜３のいずれかに記載の放送波受信装置。
【発明の詳細な説明】
【０００１】
【発明の属する技術分野】
本発明は、放送局より電波で送信される放送信号を自動的に検出するシーク機能を有する放送受信装置に関するものである。
【０００２】
【従来の技術】
【０００３】
従来の放送受信装置の一構成例を図２に示す。放送局より電波で送信される放送信号は、アンテナ１でキャッチされ、チューナ・フロントエンド２に入力される。チューナ・フロントエンド２は、ＲＦ増幅器２ａと、ミキサ２ｂと、電圧制御発振器（ＶＣＯ）２ｃとによって構成される。チューナ・フロントエンド２に入力された放送信号は、ＲＦ増幅器２ａによって高周波増幅され、ミキサ２ｂによって電圧制御発振器２ｃの出力信号とミキシングされ中間周波（ＩＦ）信号となる。
【０００４】
チューナ２より出力されるＩＦ信号は、ＩＦフィルタ３を経由してＩＦＡＭＰ初段１３に入り、所定のゲインで増幅される。
【０００５】
ＩＦＡＭＰ初段１３は、抵抗Ｒ１と、抵抗Ｒ１０〜Ｒ１２と、ＮＰＮ型トランジスタＱ３とによって構成される。ＩＦＡＭＰ初段１３の入力端は、トランジスタＱ３のベースに接続されるとともに、抵抗Ｒ１を介して接地され、抵抗Ｒ１１を介して直流電源＋Ｂに接続される。トランジスタＱ３のコレクタは、抵抗Ｒ１２を介して直流電源＋Ｂに接続される。また、直流電源＋ＢはバイパスコンデンサＣ２を介して接地されている。なお、トランジスタＱ３のコレクタと抵抗Ｒ１２との接続ノードがＩＦＡＭＰ初段１３の出力端となる。また、トランジスタＱ３のエミッタは抵抗Ｒ１０を介して接地される。
【０００６】
ＩＦＡＭＰ初段１３から出力される信号は、ＩＦフィルタ５を経由して中間周波増幅・復調部６に入り、中間周波増幅・復調部６において、所定のレベルまでＩＦ増幅された後、復調（検波）されて復調出力信号Ｓ１となり、中間周波増幅・復調部６から出力される。なお、復調出力信号Ｓ１は、音声信号やコンポジット信号、データ信号を含んでいる。
【０００７】
中間周波増幅・復調部６は、信号検出回路６ａと、ＳＤ端子６ｂと、ベースが信号検出回路６ａの出力側に接続されコレクタがＳＤ端子６ｂに接続されエミッタが接地されるＮＰＮ型トランジスタＴｒ１とを有している。ＳＤ端子６ｂは、マイクロコンピュータ７（以下、マイコン７という）が具備するＳＤ端子７ａに直接接続されるとともに、抵抗Ｒ９を介して直流電源＋Ｂに接続される。信号検出回路６ａは、復調出力信号に基づいて、アンテナ１から入る放送電波の受信信号強度（アンテナ入力レベル）が所定のレベル以上であるか否を判定する。アンテナ入力レベルが所定のレベル未満であれば、信号検出回路６ａはトランジスタＴｒ１をオフにする。このときＳＤ端子６ｂが抵抗Ｒ９を介して直流電源＋Ｂに接続されているので、ＳＤ端子６ｂはＨｉｇｈレベルとなり、これに伴ってＳＤ端子７ａもＨｉｇｈレベルとなる。一方、アンテナ入力レベルが所定のレベル以上であれば、信号検出回路６ａはトランジスタＴｒ１をオンにするので、ＳＤ端子６ｂは接地されてＬｏｗレベルとなり、これに伴ってＳＤ端子７ａもＬｏｗレベルとなる。
【０００８】
ユーザが放送受信装置に設けられているシークボタン（図示せず）を押下すると、シーク指令信号Ｓ２がマイコン７に入力される。マイコン７は、シーク指令信号Ｓ２を受け取ると、電圧制御発振器２ｃ、基準電圧源９、位相比較器１０、ローパスフィルタ（ＬＰＦ）１１、分周器１２からなるＰＬＬ（Ｐｈａｓｅ  Ｌｏｃｋｅｄ  Ｌｏｏｐ）を制御して、電圧制御発振器２ｃの発振周波数を走査（増加又は減少）させてシーク動作を開始する。電圧制御発振器２ｃの発振周波数の走査中、マイコン７は、ＳＤ端子７ａのレベルを監視し、ＳＤ端子７ａがＨｉｇｈレベルからＬｏｗレベルになるとその時点で電圧制御発振器２ｃの発振周波数の走査を停止させる。そして、ＳＤ端子７ａがＨｉｇｈレベルからＬｏｗレベルになった瞬間から所定の期間（例えば５０ミリ秒）経過後に、マイコン７はＳＤ端子７ａのレベルを読みに行き、その結果ＳＤ端子７ａがＬｏｗレベルであれば電圧制御発振器２ｃの発振周波数を固定してシーク動作を終了し、ＳＤ端子７ａがＨｉｇｈレベルであれば電圧制御発振器２ｃの発振周波数の走査を再開させて、シーク動作を続行する。
【０００９】
また、マイコン７は、シークした放送信号の受信周波数等の情報を表示装置８に表示データとして出力する。表示装置８は、マイコン７から出力される表示データに基づいて文字・数字・記号などのキャラクタデータからなる情報を表示する。
【００１０】
上記のようにＳＤ端子７ａがＨｉｇｈレベルからＬｏｗレベルになった瞬間から所定の期間（例えば５０ミリ秒）経過後にマイコン７がＳＤ端子７ａのレベルを読みに行く理由について以下に説明する。放送電波が比較的強い受信状態では、図３（ａ）に示すＳＤ端子７ａのレベルタイムチャートのように、放送電波が受信されてＳＤ端子７ａがＨｉｇｈレベルからＬｏｗレベルになるとその後Ｌｏｗレベルのまま安定するので、ＳＤ端子７ａがＨｉｇｈレベルからＬｏｗレベルになった直後にマイコン７がＳＤ端子７ａのレベルを読みに行ってもマイコン７は放送電波が受信されていることを正確に認識することができる。一方、放送電波が比較的弱い受信状態、すなわち放送電波の受信信号強度が所定のレベル（ＳＤ端子７ａのレベルが切り替わるスレッシュレベル）近傍である場合では、図３（ｂ）に示すＳＤ端子７ａのレベルタイムチャートのように、放送電波が受信されてＳＤ端子７ａがＨｉｇｈレベルからＬｏｗレベルになった後にＳＤ端子７ａのレベル変動の繰り返し（チャタリング）が発生する。チャタリング中にマイコン７がＳＤ端子７ａのレベルを読みに行くと、マイコン７が誤認識（放送局が本当は存在するが存在しないと判定する）するおそれがある。チャタリングはＳＤ端子７ａがＨｉｇｈレベルからＬｏｗレベルになった瞬間から所定の期間経過する迄には概ねおさまることが多いので、マイコン７の誤認識を防止して選局漏れをなくす観点からＳＤ端子７ａがＨｉｇｈレベルからＬｏｗレベルになった瞬間（ｔ１時点）から所定の期間（各受信周波数のステップ毎に一律に定めた待ち時間）経過後（ｔ２時点）にマイコン７がＳＤ端子７ａのレベルを読みに行くようにしている。
【００１１】
【特許文献１】
特開平１０−２００４３５号公報
【００１２】
【発明が解決しようとする課題】
しかしながら、ＳＤ端子７ａがＨｉｇｈレベルからＬｏｗレベルになった瞬間から所定の期間（各受信周波数のステップ毎に一律に定めた待ち時間）経過後もチャタリングがおさまらない場合もある。この場合、ＳＤ端子７ａがＨｉｇｈレベルかＬｏｗレベルか定まらない状態でマイコン７がＳＤ端子７ａのレベルを読みに行くことになるので、図３（ｃ）に示すＳＤ端子７ａのレベルタイムチャートのように、マイコン７がＳＤ端子７ａのレベルを読みに行く時点（ｔ２時点）でＳＤ端子７ａがＨｉｇｈレベルであれば、マイコン７が誤認識（放送局が本当は存在するのだが存在しないと判定する）してしまうという問題があった。また、ＳＤ端子７ａがＨｉｇｈレベルからＬｏｗレベルになった瞬間から所定の期間（各受信周波数のステップ毎に一律に定めた待ち時間）経過するまでマイコン７がＳＤ端子７ａのレベルを読みに行くのを待っているので、シーク動作の高速化を妨げていた。
【００１３】
なお、特許文献１のラジオ受信機は、シーク動作時に隣接妨害等がなく受信品質がよい放送局のみを選局できるように、すなわち意図的に選局漏れを起こしている。
【００１４】
本発明は、上記の問題点に鑑み、シーク動作において選局漏れを低減することができる放送受信装置を提供することを目的とする。また、本発明は、上記の問題点に鑑み、シーク動作の高速化を図ることができる放送受信装置を提供することを目的とする。
【００１５】
【課題を解決するための手段】
上記目的を達成するために、本発明に係る放送受信装置においては、放送受信信号に基づく信号を増幅する可変利得増幅手段と、前記可変利得増幅手段からの出力信号に基づいて前記放送受信信号の強度が所定のレベル以上であるか否かを判定する判定手段と、前記判定手段の判定結果に応じて前記可変利得増幅手段の増幅度を制御する制御手段と、を備える構成とする。また、本発明に係る放送受信装置はシーク機能を有する。例えば、前記放送受信信号を中間周波信号に変換するチューナ手段を備え、前記可変利得増幅手段が前記中間周波信号を増幅し、前記制御手段又は前記制御手段とは異なる第２制御手段が前記チューナ手段の局部発振周波数を増減又は減少させてシーク動作を行うようにするとよい。
【００１６】
このような構成によると、例えば放送受信信号の強度が所定のレベル未満から所定のレベル以上になると、制御手段が可変利得増幅手段の増幅度を増大させるようにすることで、判定手段の判定結果におけるチャタリングの発生を抑えることができる。そして、チャタリングが発生しにくくなれば、チャタリングがおさまらない状態で放送局が存在するかを放送受信装置が判定してしまい放送局が本当は存在するのだが存在しないと判定するおそれが少なくなり、シーク動作における選局漏れを低減することができる。また、チャタリングが発生しにくくなれば、放送受信信号の強度が所定のレベル未満から所定のレベル以上になった瞬間から放送局が存在するかを放送受信装置が判定する迄の待ち時間を削減又は低減することができ、シーク動作の高速化を図ることができる。
【００１７】
また、前記放送受信信号の強度が前記所定のレベル以上から前記所定のレベル未満になってその後一定期間前記所定のレベル未満のままであると、前記制御手段が前記可変利得増幅手段の増幅度を減少させ、前記放送受信信号の強度が前記所定のレベル以上から前記所定のレベル未満になってその後前記一定期間経過するまでに前記所定のレベル以上に戻ると、前記制御手段が前記可変利得増幅手段の増幅度を減少させないようにしてもよい。
【００１８】
このようにすると、ノイズ等によって一瞬放送受信信号の強度が所定のレベル以上から所定のレベル未満になっても、その後一定期間放送受信信号の強度が所定のレベル未満のままでなければ、制御手段は可変利得増幅手段の増幅度を減少させない。これにより、ノイズ等によるチャタリングの発生を抑えることができる。
【００１９】
また、前記可変利得増幅手段が、第１ゲートに入力される放送受信信号に基づく信号を増幅してドレインから出力するデュアルゲート電界効果トランジスタを備え、前記制御手段が、前記デュアルゲート電界効果トランジスタの第２ゲートに印加する直流バイアス電圧を可変することで前記可変利得増幅手段の増幅度を制御するようにしてもよい。
【００２０】
デュアルゲート電界効果トランジスタを用いることで以下のような効果を奏する。デュアルゲート電界効果トランジスタは第１ゲートと第２ゲートとが分離しているため、第１ゲートに信号線を接続し、第２ゲートに制御用の直流バイアスを印加できるという回路構成上の有利さがある。シングルゲート電界効果トランジスタの場合は、信号と直流バイアスが重畳される結果、動作が不安定になりやすい。また、デュアルゲート電界効果トランジスタはシングルゲート電界効果トランジスタに比べて逆伝達係数が小さいので、発振などのおそれが全くなく安定した動作が可能である。また、デュアルゲート電界効果トランジスタは電圧制御型であるので、電流制御型のトランジスタより回路構成を簡素化できる。電流制御型のトランジスタを用いる場合、さらにスイッチングトランジスタを１つ追加しなければならない。また、可変利得増幅手段においては周辺の回路や信号に悪影響を与えないようにすることが望まれるが、電界効果トランジスタは入出力インピーダンスが大きいので、周辺に与える影響がほとんどない。
【００２１】
【発明の実施の形態】
以下に本発明の一実施形態について図面を参照して説明する。本発明に係る放送受信装置の一構成例を図１に示す。なお、図１において図２と同一の部分には同一の符号を付し詳細な説明を省略する。
【００２２】
図１の放送受信装置は、図２の放送受信装置に設けられているＩＦＡＭＰ初段１３を可変利得増幅器４に置換した構成である。可変利得増幅器４は、可変増幅段と制御回路からなっている。当該可変増幅段は、デュアルゲート電界効果トランジスタＱ１と、そのバイアス兼負荷抵抗Ｒ１〜Ｒ５と、バイパスコンデンサＣ１とによって構成される。また、当該制御回路は、ＰＮＰ型スイッチングトランジスタＱ２と、ダイオードＤ１と、抵抗Ｒ６〜Ｒ９と、コンデンサＣ３及びＣ４とによって構成される。
【００２３】
デュアルゲート電界効果トランジスタＱ１の第１ゲートＧ１が抵抗Ｒ１を介して接地される。デュアルゲート電界効果トランジスタＱ１の第１ゲートＧ１と抵抗Ｒ１との接続ノードが可変利得増幅器４の入力端となる。デュアルゲート電界効果トランジスタＱ１のドレインＤが抵抗Ｒ５を介して直流電源＋Ｂに接続される。デュアルゲート電界効果トランジスタＱ１のドレインＤと抵抗Ｒ５との接続ノードが可変利得増幅器４の出力端となる。デュアルゲート電界効果トランジスタＱ１のソースＳが抵抗Ｒ４を介して接地される。デュアルゲート電界効果トランジスタＱ１の第２ゲートが抵抗Ｒ２を介して接地され、バイパスコンデンサＣ１を介して接地されるとともに、抵抗Ｒ３を介してスイッチングトランジスタＱ２のコレクタに接続される。
【００２４】
スイッチングトランジスタＱ２のエミッタが直流電源＋Ｂに接続される。また、スイッチングトランジスタＱ２のコレクタに抵抗Ｒ８の一端及びコンデンサＣ４の負極性側が接続され、スイッチングトランジスタＱ２のエミッタに抵抗Ｒ８の他端が直接接続されるとともにコンデンサＣ４の正極性側が抵抗Ｒ９を介して接続される。スイッチングトランジスタＱ２のベースが抵抗Ｒ６を介してダイオードＤ１のアノード及び抵抗Ｒ７の一端に接続される。抵抗Ｒ７の他端がコンデンサＣ３を介して接地され、ダイオードＤ１のカソードがＳＤ端子６ｂ、ＳＤ端子７ａ、及び抵抗Ｒ９の接続ノードに接続される。
【００２５】
続いて、可変利得増幅器４の動作について説明する。デュアルゲート電界効果トランジスタＱ１の第１ゲートＧ１にＩＦ信号が入って増幅されてドレインＤから出力される。デュアルゲート電界効果トランジスタＱ１の増幅度は、デュアルゲート電界効果トランジスタＱ１の相互コンダクタンス値と抵抗Ｒ５の抵抗値との乗算値になる。デュアルゲート電界効果トランジスタは第２ゲートに印加される直流バイアス電圧が大きくなると相互コンダクタンス値が大きくなる特性を持っているので、第２ゲートＧ２に印加される直流バイアス電圧に応じてデュアルゲート電界効果トランジスタＱ１の増幅度が変化する。
【００２６】
シーク動作開始時、ＳＤ端子７ａはＨｉｇｈレベルであり、コンデンサＣ３及びＱ４は充電されているので、トランジスタＱ２はオフ状態であり、抵抗Ｒ９には電流が流れない。これにより、デュアルゲート電界効果トランジスタＱ１の第２ゲートＧ２に印加される直流バイアス電圧は、直流電源＋Ｂから出力される直流電圧を抵抗Ｒ２と、抵抗Ｒ３及びＲ８の直列合成抵抗とで分圧したものになる。このときのデュアルゲート電界効果トランジスタＱ１の第２ゲートＧ２に印加される直流バイアス電圧を「標準直流バイアス電圧」と呼ぶ。また、第２ゲートＧ２に標準直流バイアス電圧が印加されているときのデュアルゲート電界効果トランジスタＱ１の増幅度を「標準ゲイン」と呼ぶ。
【００２７】
シーク動作中においてＳＤ端子７ａがＨｉｇｈレベルからＬｏｗレベルになると、瞬時にトランジスタＴｒ１がオン状態になりトランジスタＱ２のベース電流が直流電源＋Ｂから抵抗Ｒ６、ダイオードＤ１、及びトランジスタＴｒ１を経由してアースグランドに流れ込むため、トランジスタＱ２がオン状態になり、トランジスタＱ２によって抵抗Ｒ８が短絡される。これにより、デュアルゲート電界効果トランジスタＱ１の第２ゲートＧ２に印加される直流バイアス電圧は、直流電源＋Ｂから出力される直流電圧を抵抗Ｒ２と、抵抗Ｒ３とで分圧したものになり、標準直流バイアス電圧より大きくなる。したがって、シーク動作中においてＳＤ端子７ａがＨｉｇｈレベルからＬｏｗレベルになると、デュアルゲート電界効果トランジスタＱ１の増幅度が即時に標準ゲインより大きくなる。デュアルゲート電界効果トランジスタＱ１の増幅度が即時に標準ゲインより大きくなれば、放送電波の受信信号強度が所定のレベル（ＳＤ端子７ａのレベルが切り替わるスレッシュレベル）以上になったと等価になり、チャタリングが発生しにくくなる。
【００２８】
チャタリングが発生しにくくなるので、チャタリングがおさまらない状態で放送局が存在するかを判定してしまい放送局が本当は存在するのだが存在しないと判定するおそれが少なくなり、シーク動作における選局漏れを低減することができる。また、チャタリングが発生しにくくなるので、ＳＤ端子７ａがＨｉｇｈレベルからＬｏｗレベルになった瞬間から放送局が存在するかを判定する迄の待ち時間を削減又は低減することができ、シーク動作の高速化を図ることができる。
【００２９】
ＳＤ端子７ａがＬｏｗレベルになると、後述するようにコンデンサＣ３及びＣ４はほぼ即時に放電される。そして、何かの原因（例えばノイズ等）で一瞬ＳＤ端子７ａがＬｏｗレベルからＨｉｇｈレベルになった場合でも、ＳＤ端子７ａがＨｉｇｈレベルになると同時にトランジスタＱ２のベース電流は直流電源＋Ｂから抵抗Ｒ６、抵抗Ｒ７、及びコンデンサＣ３を経由してアースグランドに流れ込むことになるので、トランジスタＱ２は直ちにオフ状態にはならず、抵抗Ｒ６及び抵抗Ｒ７を経由してコンデンサＣ３に充電電流が流れ込む間オン状態のままになっている。その結果、デュアルゲート電界効果トランジスタＱ１の増幅度が標準ゲインより大きい状態が継続する。なお、ダイオードＤ１は、ＳＤ端子７ａがＨｉｇｈレベルである場合に、ＳＤ端子側からコンデンサＣ３に充電電流が流れ込むことを防止している。そして、コンデンサＣ３の充電が完了して充電電流が零になると、トランジスタＱ２はオフ状態になるが、今度は直流電源＋Ｂから抵抗Ｒ９、コンデンサＣ４、抵抗Ｒ３、及び抵抗Ｒ２を経由してアースグランドラインに電流が流れ、コンデンサＣ４に充電電流が流れる。コンデンサＣ４の充電電流が流れている間は、抵抗Ｒ９の値を小さく選べば、抵抗Ｒ８が短絡とほぼ等価な状態になる。このようにコンデンサＣ３とコンデンサＣ４に充電電流が流れている間は、デュアル電界効果トランジスタＱ１の増幅度が標準ゲインより大きい状態が継続することになる。そして、コンデンサＣ３とコンデンサＣ４に充電が終わった後になおＨｉｇｈレベルであれば、デュアル電界効果トランジスタＱ１の増幅度が標準ゲインよりも大きい値から標準ゲインに切り替わる。
【００３０】
コンデンサＣ３とコンデンサＣ４が充電された後一度でもＳＤ端子７ａがＬｏｗレベルになればコンデンサＣ３及びＣ４はほぼ即時に放電されるように抵抗Ｒ６及び抵抗Ｒ７の抵抗値を設定する。すなわち、放電時間が充電時間に対して十分に短くなるように抵抗Ｒ６の抵抗値を抵抗Ｒ７の抵抗値に対して十分に大きくする。また、抵抗Ｒ９の抵抗値はコンデンサＣ４の放電電流がトランジスタＱ２にダメージを与えない範囲で出来る限り小さくする。コンデンサＣ３の放電は、トランジスタＴｒ１がオンのときに抵抗Ｒ７、ダイオードＤ１、トランジスタＴｒ１経由で放電され、また、コンデンサＣ４はトランジスタＱ２がオンのときに抵抗Ｒ９及びトランジスタＱ２で放電される。
【００３１】
【発明の効果】
本発明によると、放送受信装置のシーク動作において選局漏れを低減することができる。また、本発明によると、放送受信装置においてシーク動作の高速化を図ることができる。
【図面の簡単な説明】
【図１】本発明に係る放送受信装置の一構成例を示す図である。
【図２】従来の放送受信装置の一構成例を示す図である。
【図３】放送電波を受信したときのＳＤ端子のレベルタイムチャートである。
【符号の説明】
１  アンテナ
２  チューナ・フロントエンド
４  可変利得増幅器
６  中間周波増幅・復調部
７  マイクロコンピュータ
６ｂ、７ａ  ＳＤ端子
Ｃ３、Ｃ４  コンデンサ
Ｑ１  デュアルゲート電界トランジスタ
Ｑ２  スイッチングトランジスタ
【図１】
2004350029.tif 000003
【図２】
2004350029.tif 000004
【図３】
2004350029.tif 000005